(57)【特許請求の範囲】
【請求項１】
（ａ）顧客が操作して金融取引を行う自動取引装置であって、
（ｂ）上位コンピュータから受信した手数料データに基づいて、取引を行う候補となる金融機関に対応する取引手数料の範囲を顧客操作部の表示装置に表示させる取引手数料表示手段と、前記顧客による顧客操作部での金融機関の選択操作によって選択された金融機関に応じて前記表示した取引手数料の範囲を絞り込む絞り込み手段とを有することを特徴とする自動取引装置。
【請求項２】
前記上位コンピュータが顧客の情報を取得したタイミングで前記取引手数料の範囲を算出する請求項１に記載の自動取引装置。
【請求項３】
（ａ）顧客が操作して金融取引を行う自動取引装置であって、
（ｂ）取引日時等の情報に基づいて手数料データデータベースを検索する手数料データ検索手段と、上位コンピュータから受信した割引額又は割引率に基づいて割引された手数料データを算出する算出手段と、前記手数料データに基づいて、取引を行う候補となる金融機関に対応する取引手数料の範囲を顧客操作部の表示装置に表示させる取引手数料表示手段と、前記顧客による顧客操作部での金融機関の選択操作によって選択された金融機関に応じて前記表示した取引手数料の範囲を絞り込む絞り込み手段とを有することを特徴とする自動取引装置。
【請求項４】
前記算出手段は、前記上位コンピュータが顧客の情報を取得したタイミングで前記手数料データを算出する請求項３に記載の自動取引装置。
【請求項５】
（ａ）自動取引装置、上位コンピュータ、手数料データデータベース及び顧客データデータベースを有する自動取引装置の手数料表示システムであって、
（ｂ）前記上位コンピュータは、取引日時等の情報に基づいて前記手数料データデータベースを検索する手数料データ検索手段、口座番号等の情報に基づいて前記顧客データデータベースを検索する顧客データ検索手段、顧客データに基づいて顧客が手数料の割引対象であるか否かを判断する割引対象判断手段、及び、顧客が手数料の割引対象である場合に割引された手数料データを算出する算出手段を備え、
（ｃ）前記自動取引装置は、前記上位コンピュータから受信した手数料データに基づいて、取引を行う候補となる金融機関に対応する取引手数料の範囲を顧客操作部の表示装置に表示させる取引手数料表示手段、及び、顧客による顧客操作部での金融機関の選択操作によって選択された金融機関に応じて前記表示した取引手数料の範囲を絞り込む絞り込み手段を備えることを特徴とする自動取引装置の手数料表示システム。
【請求項６】
（ａ）自動取引装置、上位コンピュータ、手数料データデータベース及び顧客データデータベースを有する自動取引装置の手数料表示システムであって、
（ｂ）前記上位コンピュータは、口座番号等の情報に基づいて前記顧客データデータベースを検索する顧客データ検索手段、顧客データに基づいて顧客が手数料の割引対象であるか否かを判断する割引対象判断手段、及び、顧客が手数料の割引対象である場合に割引額又は割引率を算出する算出手段を備え、
（ｃ）前記自動取引装置は、取引日時等の情報に基づいて前記手数料データデータベースを検索する手数料データ検索手段、前記上位コンピュータから受信した割引額又は割引率に基づいて割引された手数料データを算出する算出手段、前記手数料データに基づいて、取引を行う候補となる金融機関に対応する取引手数料の範囲を顧客操作部の表示装置に表示させる取引手数料表示手段、及び、顧客による顧客操作部での金融機関の選択操作によって選択された金融機関に応じて前記表示した取引手数料の範囲を絞り込む絞り込み手段を備えることを特徴とする自動取引装置の手数料表示システム。
【発明の詳細な説明】
【技術分野】
【０００１】
本発明は、自動取引装置及び自動取引装置の手数料表示システムに関するものである。
【背景技術】
【０００２】
従来、銀行、信用金庫、郵便局等の金融機関の支店等には、ＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が設置されている。そして、顧客は前記自動取引装置を自分で操作して、入金、出金、振り込み、振り替え、通帳記帳等の金融取引を行うようになっている（例えば、特許文献１参照。）。
【０００３】
この場合、前記自動取引装置の顧客操作部におけるタッチパネルから成る表示装置には取引選択画面が表示される。そして、前記顧客は、前記顧客操作部の表示装置に表示されている選択手段としての選択項目の中から、例えば、「出金」のキーにタッチして選択する。これにより、出金のためのガイダンス画面が前記顧客操作部の表示装置に表示されるので、前記顧客は表示されたガイダンスに従って表示装置にタッチし、暗証番号の入力、金額の入力、キャッシュカード等のカード、通帳の挿入を行うなどの出金のために必要な操作を順次行う。そして、前記顧客がガイダンスに従って操作を行うと、次の操作を誘導するためのガイダンス画面が前記表示装置に表示されるようになっている。最後に、前記顧客操作部における貨幣受け渡し口の蓋（ふた）部材が開口し、現金、カード、通帳、取引明細票等の媒体が返却される。そして、前記顧客は返却された媒体を受け取って金融取引を終了する。
【０００４】
なお、前記自動取引装置を操作して行った金融取引に関する取引手数料は、金融取引の最後の段階において表示装置に表示される確認画面に表示することによって、又は、金融取引の最後の段階において発行される取引明細票に印刷することによって前記顧客に通知されるようになっている。
【特許文献１】特開平５−７３７５１号公報
【発明の開示】
【発明が解決しようとする課題】
【０００５】
しかしながら、前記従来の自動取引装置においては、取引手数料が金融取引が終了する段階において顧客に通知されるようになっているので、顧客は取引手数料を考慮した上で取引種別を選択したり、取引金額を決定したりすることができなかった。
【０００６】
一般に、取引手数料は、金融取引を行う曜日や時間帯、取引種別、取引金額、振り込み先等によって異なっている。また、顧客の口座残高、取引状況等に応じて段階的に利用手数料を割り引くサービスを行っている金融機関も存在する。このように、取引手数料の料金体系が複雑であり、各種の条件を満たしているか否かを判断する必要があるので、一般的な顧客は取引手数料を事前に把握することが困難であった。そのため、顧客は取引手数料を考慮した上で取引種別を選択したり、取引金額を決定したりすることができず、金融取引が終了する段階において認識した取引手数料に不満を抱いてしまうことがある。
【０００７】
本発明は、前記従来の自動取引装置の問題点を解決して、金融取引の各段階において取引手数料又はその範囲を表示することによって、顧客が取引手数料を事前に把握することができ、取引手数料を考慮した上で金融取引を行うことができ、取引手数料に不満を抱くことがない自動取引装置及び自動取引装置の手数料表示システムを提供することを目的とする。
【課題を解決するための手段】
【０００８】
そのために、本発明の自動取引装置においては、顧客が操作して金融取引を行う自動取引装置であって、上位コンピュータから受信した手数料データに基づいて、取引を行う候補となる金融機関に対応する取引手数料の範囲を顧客操作部の表示装置に表示させる取引手数料表示手段と、前記顧客による顧客操作部での金融機関の選択操作によって選択された金融機関に応じて前記表示した取引手数料の範囲を絞り込む絞り込み手段とを有する。
【０００９】
本発明の他の自動取引装置においては、さらに、前記上位コンピュータが顧客の情報を取得したタイミングで前記取引手数料の範囲を算出する。
【００１０】
本発明の更に他の自動取引装置においては、顧客が操作して金融取引を行う自動取引装置であって、取引日時等の情報に基づいて手数料データデータベースを検索する手数料データ検索手段と、上位コンピュータから受信した割引額又は割引率に基づいて割引された手数料データを算出する算出手段と、前記手数料データに基づいて、取引を行う候補となる金融機関に対応する取引手数料の範囲を顧客操作部の表示装置に表示させる取引手数料表示手段と、前記顧客による顧客操作部での金融機関の選択操作によって選択された金融機関に応じて前記表示した取引手数料の範囲を絞り込む絞り込み手段とを有する。
【００１１】
本発明の更に他の自動取引装置においては、さらに、前記算出手段は、前記上位コンピュータが顧客の情報を取得したタイミングで前記手数料データを算出する。
【００１２】
本発明の自動取引装置の手数料表示システムにおいては、自動取引装置、上位コンピュータ、手数料データデータベース及び顧客データデータベースを有する自動取引装置の手数料表示システムであって、前記上位コンピュータは、取引日時等の情報に基づいて前記手数料データデータベースを検索する手数料データ検索手段、口座番号等の情報に基づいて前記顧客データデータベースを検索する顧客データ検索手段、顧客データに基づいて顧客が手数料の割引対象であるか否かを判断する割引対象判断手段、及び、顧客が手数料の割引対象である場合に割引された手数料データを算出する算出手段を備え、前記自動取引装置は、前記上位コンピュータから受信した手数料データに基づいて、取引を行う候補となる金融機関に対応する取引手数料の範囲を顧客操作部の表示装置に表示させる取引手数料表示手段、及び、顧客による顧客操作部での金融機関の選択操作によって選択された金融機関に応じて前記表示した取引手数料の範囲を絞り込む絞り込み手段を備える。
【００１３】
本発明の他の自動取引装置の手数料表示システムにおいては、自動取引装置、上位コンピュータ、手数料データデータベース及び顧客データデータベースを有する自動取引装置の手数料表示システムであって、前記上位コンピュータは、口座番号等の情報に基づいて前記顧客データデータベースを検索する顧客データ検索手段、顧客データに基づいて顧客が手数料の割引対象であるか否かを判断する割引対象判断手段、及び、顧客が手数料の割引対象である場合に割引額又は割引率を算出する算出手段を備え、前記自動取引装置は、取引日時等の情報に基づいて前記手数料データデータベースを検索する手数料データ検索手段、前記上位コンピュータから受信した割引額又は割引率に基づいて割引された手数料データを算出する算出手段、前記手数料データに基づいて、取引を行う候補となる金融機関に対応する取引手数料の範囲を顧客操作部の表示装置に表示させる取引手数料表示手段、及び、顧客による顧客操作部での金融機関の選択操作によって選択された金融機関に応じて前記表示した取引手数料の範囲を絞り込む絞り込み手段を備える。
【発明の効果】
【００１４】
本発明によれば、金融取引の各段階において取引手数料又はその範囲を表示するようになっている。そのため、顧客が取引手数料を事前に把握することができ、取引手数料を考慮した上で金融取引を行うことができ、取引手数料に不満を抱くことがない。
【発明を実施するための最良の形態】
【００１５】
以下、本発明の実施の形態について図面を参照しながら詳細に説明する。
【００１６】
図１は本発明の第１の実施の形態における自動取引装置の手数料表示システムの構成を示す図である。
【００１７】
図において、１０は本実施の形態における自動取引装置の手数料表示システムである。また、１１は銀行、信用金庫、郵便局等の金融機関の支店等の営業店に配設されたＡＴＭ、ＣＤ等の自動取引装置であり、前記金融機関の顧客が自分で操作して入金、出金、通帳記帳、残高照会、振り込み、振り替え等の金融取引を行うための装置である。なお、前記自動取引装置１１は、前記金融機関の本店、支店等、コンビニエンスストア、スーパーマーケット、デパート等の商店の店舗、駅の構内、地下街、市役所、病院等の公共施設、工場、事務所等の私企業、駐車場、道路脇（わき）等の屋外など、いかなる場所に配設されていてもよい。また、前記自動取引装置１１は、他の機能、例えば、チケット予約機能、商品購入申し込み機能、クレジットカードの与信確認機能、施設情報案内機能等を有するキオスク端末のような多機能端末であってもよい。なお、前記顧客は、金融機関に自己の口座を開設し、前記金融機関を利用する者であり、一般的には個人であるが、企業、団体等であってもよい。
【００１８】
ここで、前記自動取引装置１１は、ＣＰＵ、ＭＰＵ等の演算手段、半導体メモリ、磁気ディスク等の記憶手段、通信インターフェイス等を備え、プログラムに従って動作を行う一種のコンピュータである。そして、前記自動取引装置１１は、キーボード、タッチパネル等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置、顧客の音声を入力するためのマイクロフォン等の音声入力装置、音声案内のためのスピーカ等の音声出力装置等を備える顧客操作部を有する。なお、顧客が操作を行い易いようにするために、前記入力装置は、表示装置の機能を兼ね備えるタッチパネルであることが望ましい。
【００１９】
また、前記自動取引装置１１は、キャッシュカード等のカードを取り扱う図示されないカード処理部を有する。ここで、前記カードは、金融機関が顧客に対して発行した入金、出金、振り込み、残高照会等の金融取引を行うためのカードであり、顧客の氏名、口座番号、暗証番号等の情報を格納する磁気ストライプを備える。なお、前記情報を格納する部材としては、前記磁気ストライプに代えて、カードに埋め込まれたＩＣであってもよい。そして、前記カード処理部は、カードが挿入及び排出されるカードスロットを備え、該カードスロット内には、前記カードを搬送する搬送装置、及び、カードの磁気ストライプやＩＣに格納された情報の読み取り、上書き、消去等を行うための磁気ヘッド等の記録ヘッドが配設される。なお、前記カード処理部は他の金融機関の発行したキャッシュカードやクレジットカード、デビットカード等の他の種類のカードも取り扱えることが望ましい。
【００２０】
さらに、前記カード処理部は取引明細票を発行する機能を備える。該取引明細票は、入金、出金、通帳記帳、残高照会、振り込み、振り替え、送金、定期性預金設定等の顧客が行った金融取引に関する情報が印刷される紙片であり、口座番号、金融取引の種類、取引金額等が印刷される。なお、前記取引明細票は、顧客が希望したときだけに発行されるようにしてもよい。
【００２１】
また、前記自動取引装置１１は、預金通帳等の通帳に記帳する図示されない通帳記帳部を有する。ここで、前記通帳は、金融機関が顧客に対して発行した預金通帳等の冊子状の通帳であり、入金、出金、振り込み、振り替え、送金、定期性預金設定等の金融取引の記録が印刷されるものである。なお、前記通帳の表紙又は裏表紙には、顧客の氏名、口座番号、暗証番号等の情報を格納する磁気ストライプを備える。さらに、前記情報を格納する部材としては、前記磁気ストライプに代えて、通帳に埋め込まれたＩＣであってもよい。
【００２２】
そして、前記通帳記帳部は、通帳が挿入される通帳スロットを備え、該通帳スロット内には、通帳を搬送する搬送装置、通帳に前記金融取引の記録を印刷する印字ヘッド、及び、通帳の磁気ストライプやＩＣに格納された情報の読み取り、上書き、消去等を行うための磁気ヘッド等の記録ヘッドが配設される。
【００２３】
さらに、前記自動取引装置１１は、紙幣及び硬貨を取り扱う図示されない貨幣入出金部を有する。該貨幣入出金部は、入金等の金融取引において顧客が入金した現金を受け取り、カウント、すなわち、計数するとともに、出金等の金融取引において所定金額の現金を現金受け取り口から払い出す。なお、該現金受け取り口には開閉可能なシャッタが配設され、該シャッタは、現金を払い出す時に開くようになっている。なお、前記自動取引装置１１は、顧客操作部に表示中の金融機関名が自行・他行・提携金融機関のいずれであるかを特定する情報と、顧客操作部に表示中の支店名が自店・他店のいずれであるかを特定する情報を有するデータベースを備えている。
【００２４】
また、１３は前記顧客が口座を開設した金融機関におけるコンピュータシステム内に構築された勘定系の上位コンピュータとしてのホストコンピュータであり、ＣＰＵ、ＭＰＵ等の演算手段、半導体メモリ、磁気ディスク等の記憶手段、通信インターフェイス等を備え、プログラムに従って動作を行い、前記金融機関に開設された口座に関する各種金融取引を処理するようになっている。なお、前記ホストコンピュータ１３は、大型の汎（はん）用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。
【００２５】
そして、前記自動取引装置１１は、自動取引装置ネットワーク１２を介して、ホストコンピュータ１３に接続されている。前記自動取引装置１１を使用して要求した金融取引に関する処理は、自動取引装置ネットワーク１２を介して、ホストコンピュータ１３に送信され、実行され、記録される。なお、前記自動取引装置ネットワーク１２は、有線又は無線の公衆通信回線網、専用通信回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）、衛星通信回線網等いかなる通信回線網であってもよく、これらを適宜組み合わせたものであってもよい。なお、前記自動取引装置１１は、実際には複数であるが、ここでは自動取引装置１１がすべての自動取引装置を代表するものとして説明する。
【００２６】
そして、１４はサーバとしてのデータベースサーバであり、ＣＰＵ、ＭＰＵ等の演算手段、半導体メモリ、磁気ディスク等の記憶手段、通信インターフェイス等を備え、プログラムに従って動作を行い、前記自動取引装置１１を操作して金融取引を行った場合の取引手数料に関する各種データ、顧客情報等の顧客に関する各種データ等を管理する。また、前記データベースサーバ１４は、取引種別毎の取引手数料、該取引手数料の割引率等の自動取引装置１１を操作して金融取引を行った場合の取引手数料に関する各種データを格納する手数料データデータベース１５、及び、顧客情報、顧客の取引履歴、顧客の口座残高等の顧客に関する各種データを格納する顧客データデータベース１６を備える。そして、前記データベースサーバ１４は、自動取引装置ネットワーク１２及びホストコンピュータ１３に接続されている。
【００２７】
ここで、前記データベースサーバ１４は、大型の汎用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。なお、前記データベースサーバ１４はホストコンピュータ１３と一体的に構成されていてもよいし、ホストコンピュータ１３内に構築される複数のシステムの中の一つであってもよい。この場合、前記手数料データデータベース１５及び顧客データデータベース１６は、ホストコンピュータ１３に接続されるか又は内蔵される。
【００２８】
次に、前記データベースサーバ１４が管理するデータについて説明する。
【００２９】
図２は本発明の第１の実施の形態における取引手数料算出用の手数料データの例を示す図、図３は本発明の第１の実施の形態における顧客データの例を示す図である。
【００３０】
前記手数料データデータベース１５には、自動取引装置１１を操作して金融取引を行った場合の取引手数料を算出するために、図２に示されるような手数料データのテーブルが格納されている。該テーブルにおいては、取引種別、曜日、時間帯等の条件によって取引手数料が定義されている。なお、振り込みの場合の手数料データは、図示するものの他に、「振り込み（キャッシュカード・自行他店宛・３万円以下）」「振り込み（キャッシュカード・他行宛・３万円以下）」「振り込み（キャッシュカード・提携金融機関宛・３万円以下）」等のそれぞれ異なる取引種別毎に手数料が決められて、手数料データが格納されている。
【００３１】
また、前記顧客データデータベース１６には、図３に示されるような顧客データのテーブルが格納されている。該テーブルにおいては、口座番号、氏名、口座残高、給与振り込みの有無、公共料金支払いの有無等の取引内容に関するデータ等が格納されている。
【００３２】
なお、機能の観点から、本実施の形態において、前記ホストコンピュータ１３は、取引日時等の情報に基づいて前記手数料データデータベース１５を検索する手数料データ検索手段、口座番号等の情報に基づいて前記顧客データデータベース１６を検索する顧客データ検索手段、顧客データに基づいて顧客が手数料の割引対象であるか否かを判断する割引対象判断手段、及び、顧客が手数料の割引対象である場合に割引された手数料データを算出する算出手段を有する。また、前記自動取引装置１１は、前記ホストコンピュータ１３から受信した手数料データに基づいて、取引に対応する取引手数料又は該取引手数料の範囲を顧客操作部の表示装置に表示させる取引手数料表示手段、及び、顧客による顧客操作部の操作に応じて前記取引手数料の範囲を絞り込む絞り込み手段を有する。
【００３３】
次に、前記構成の自動取引装置の手数料表示システム１０の動作について説明する。
【００３４】
図４は本発明の第１の実施の形態における自動取引装置の顧客操作部に表示される取引選択画面の例を示す図、図５は本発明の第１の実施の形態における自動取引装置の顧客操作部に表示される取引中の画面の例を示す第１の図、図６は本発明の第１の実施の形態における自動取引装置の顧客操作部に表示される取引中の画面の例を示す第２の図、図７は本発明の第１の実施の形態における自動取引装置の手数料表示システムの動作を示すフローチャートである。
【００３５】
ここで、自動取引装置１１の顧客操作部の入力装置は、表示装置の機能を兼ね備えるタッチパネルであるものとする。まず、前記顧客が金融機関の営業店等に配設された自動取引装置１１の操作を開始する場合、該自動取引装置１１の顧客操作部に初期画面として取引選択画面が表示される。この場合、出金、入金、振り込み、残高照会等の各種金融取引を選択するための選択手段として、「引き出し」、「預け入れ」、「振り込み」及び「残高照会」の選択ボタンが表示される。
【００３６】
そして、前記顧客が自己の所有するカードを自動取引装置１１のカードスロットに挿入すると、自動取引装置１１のカード処理部は、前記カードの磁気ストライプやＩＣに格納された口座番号等の情報を読み取る。続いて、前記自動取引装置１１は、前記口座番号等の情報を自動取引装置ネットワーク１２を介して、ホストコンピュータ１３に送信する。すると、該ホストコンピュータ１３は、取引日時等の情報に基づいて、データベースサーバ１４から手数料データを取得する。また、前記ホストコンピュータ１３は、前記口座番号等の情報に基づいて、前記顧客が当該金融機関の顧客、すなわち、自行顧客であるか否かを判断し、自行顧客である場合、データベースサーバ１４から前記顧客の顧客データを取得する。
【００３７】
続いて、前記ホストコンピュータ１３は、前記顧客データに基づいて前記顧客が手数料の割引対象であるか否かを判断する。そして、手数料の割引対象である場合には、前記ホストコンピュータ１３は、取引手数料の割引率又は割引額を算出し、取得した手数料データを割引後の値で更新して自動取引装置１１に送信する。また、手数料の割引対象でない場合には、取得した手数料データをそのまま自動取引装置１１に送信する。
【００３８】
ところで、通常の自動取引装置は、すべての操作が終了した後にホストコンピュータと通信を行うようになっているが、本実施の形態において、前記自動取引装置１１はすべての操作が終了する前にホストコンピュータ１３と通信を行って、必要な情報を取得するようになっている。なお、前記自動取引装置１１は、ホストコンピュータ１３でなく、データベースサーバ１４と通信を行って、必要な情報を取得してもよい。この場合、データベースサーバ１４が前記ホストコンピュータ１３に代わる自動取引装置１１の上位コンピュータとして動作する。この場合、上記のホストコンピュータ１３にて行った手数料の算出に係る処理はデータベースサーバ１４が上位コンピュータとして行ってもよいし、自動取引装置１１にて行ってもよい。
【００３９】
続いて、前記自動取引装置１１は、ホストコンピュータ１３から受信した手数料データに基づいて、図４に示されるような取引選択画面を顧客操作部に表示させる。前記取引選択画面には、各取引に対応する取引手数料、又は、該取引手数料を一義的に決定することができない場合には取引手数料の範囲が表示される。
【００４０】
続いて、前記顧客は、前記取引選択画面に表示された選択手段として「引き出し」、「預け入れ」、「振り込み」及び「残高照会」の選択ボタンの中のいずれかにタッチして、金融取引を選択する。ここでは、金融取引として振り込みを選択したものとして説明する。そして、前記顧客によって振り込みが選択されると、前記自動取引装置１１は、振り込み先の金融機関を選択するために、図５に示されるような振り込み先の銀行選択画面を顧客操作部に表示させる。続いて、前記顧客によって金融機関が選択されると、前記自動取引装置１１は、振り込み先の支店を選択するために、図６に示されるような振り込み先の支店選択画面を顧客操作部に表示させる。そして、前記顧客は支店を選択する。この場合、前記自動取引装置１１は、顧客が選択した金融機関、支店等、すなわち、顧客が入力した情報に基づいて、取引手数料の範囲を絞り込んで顧客操作部に表示する。
【００４１】
続いて、自動取引装置１１は、振り込み先の口座番号を入力するための画面を顧客操作部に表示させる。そして、前記画面中には、振り込みに対応する取引手数料、又は、該取引手数料を一義的に決定することができない場合には取引手数料の範囲が表示される。なお、これ以降の動作においても、前記顧客が入力した情報に基づいて取引手数料の範囲を絞り込んで顧客操作部に表示するようになっているが、その他の点については、通常の自動取引装置における動作と同様であるので、その説明を省略する。
【００４２】
例えば、現在の日時が月曜日の１９：００であったとする。この場合、前記の処理においてホストコンピュータ１３から平日１９：００の時の手数料データが送信されている。自行顧客であることが判明しているので、引き出しの手数料は１０５円となる。また、振り込みについては、図２に示されるような「振り込み（キャッシュカード・同一店内宛・３万円以下）」を参照して手数料１０５円を得た後、順次「振り込み」に関する取引種別の手数料を確認し、よく知られた方法で最小値と最大値を得る。ここでは、最小値として１０５円が、最大値として４２０円が得られたとする。なお、預け入れ、残高照会は手数料データがないため、０円と判断する。このようにして図４に示される手数料が得られる。
【００４３】
また、図５においては、図４に示される手数料をそのまま表示している。ここで、金融機関の選択がなされた場合、前記の絞り込み処理が行われる。例えば、自行が選択された場合、前記手数料データのうち自行に関する振り込みの手数料データのみを参照する。例えば「振り込み（キャッシュカード・同一店内宛・３万円以下）」「振り込み（キャッシュカード・自行他店宛・３万円以下）」等のレコードを参照して、同様に最小値と最大値を得る。ここでは、最小値として１０５円が、最大値として２１０円が得られたとする。このようにして絞り込んだ手数料を、図５のように表示する。
【００４４】
次に、フローチャートについて説明する。
ステップＳ１  自動取引装置１１は取引選択画面を表示する。
ステップＳ２  顧客はカードを自動取引装置１１に挿入する。
ステップＳ３  自動取引装置１１はホストコンピュータ１３に口座番号等の情報を送信する。
ステップＳ４  ホストコンピュータ１３は取引日時等の情報に基づいてデータベースサーバ１４から手数料データを取得する。
ステップＳ５  ホストコンピュータ１３は口座番号等の情報に基づいて自行顧客であるか否かを判断し、自行顧客である場合はデータベースサーバ１４から顧客データを取得する。
ステップＳ６  ホストコンピュータ１３は顧客データに基づいて顧客が手数料の割引対象であるか否かを判断する。手数料の割引対象である場合はステップＳ７に進み、手数料の割引対象でない場合はステップＳ８に進む。
ステップＳ７  ホストコンピュータ１３は取引手数料の割引率（又は割引額）を算出し、取得した手数料データを割引後の値で更新する。
ステップＳ８  ホストコンピュータ１３は手数料データを自動取引装置１１に送信する。
ステップＳ９  自動取引装置１１はホストコンピュータ１３から受信した手数料データに基づいて、取引選択画面に各取引に対応する取引手数料又はその範囲を表示する。
ステップＳ１０  顧客は金融取引を選択する。
ステップＳ１１  自動取引装置１１は振り込み先の銀行選択画面、及び、振り込み先の支店選択画面を表示する。なお、画面中には振り込みに対応する取引手数料又はその範囲を表示する。
ステップＳ１２  顧客は金融機関、支店を選択する。
ステップＳ１３  自動取引装置１１は顧客が入力した情報に基づいて取引手数料の範囲を絞り込む。
ステップＳ１４  自動取引装置１１は振り込み先の口座番号入力画面を表示する。なお、画面中には振り込みに対応する取引手数料又はその範囲を表示する。
【００４５】
このように、本実施の形態においては、金融取引の実行前又は実行中の各段階において、取引手数料が自動取引装置１１の顧客操作部に表示されるようになっている。そのため、顧客が取引手数料を事前に把握することができ、取引手数料を考慮した上で金融取引を行うことができ、取引手数料に不満を抱くことがない。また、前記顧客は、取引手数料の額によって、出金、振り込み等の金融取引を行うと口座残高が不足するか否かを事前に判断することができる。さらに、顧客が自分自身で取引手数料を確認する必要がないので、顧客の手間を省くことができ、顧客サービスを向上させることができる。
【００４６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４７】
図８は本発明の第２の実施の形態における自動取引装置の手数料表示システムの構成を示す図である。
【００４８】
本実施の形態においては、図８に示されるように、手数料データデータベース１５がデータベースサーバ１４から削除され、自動取引装置１１に内蔵されるようになっている。これにより、該自動取引装置１１は、ホストコンピュータ１３から取引手数料の割引率又は割引額以外の手数料データを取得する必要がないので、ホストコンピュータ１３と自動取引装置１１との間の通信量を削減することができる。その他の点の構成については、前記第１の実施の形態と同様であるので、その説明を省略する。
【００４９】
なお、機能の観点から、本実施の形態において、前記ホストコンピュータ１３は、口座番号等の情報に基づいて前記顧客データデータベース１６を検索する顧客データ検索手段、顧客データに基づいて顧客が手数料の割引対象であるか否かを判断する割引対象判断手段、及び、顧客が手数料の割引対象である場合に割引額又は割引率を算出する算出手段を有する。また、前記自動取引装置１１は、取引日時等の情報に基づいて前記手数料データデータベース１５を検索する手数料データ検索手段、前記ホストコンピュータ１３から受信した割引額又は割引率に基づいて割引された手数料データを算出する算出手段、前記手数料データに基づいて、取引に対応する取引手数料又は該取引手数料の範囲を顧客操作部の表示装置に表示させる取引手数料表示手段、及び、顧客による顧客操作部の操作に応じて前記取引手数料の範囲を絞り込む絞り込み手段を有する。
【００５０】
次に、本実施の形態における自動取引装置の手数料表示システム１０の動作について説明する。
【００５１】
図９は本発明の第２の実施の形態における自動取引装置の手数料表示システムの動作を示すフローチャートである。
【００５２】
ここで、顧客が金融機関の営業店等に配設された自動取引装置１１の操作を開始してから該自動取引装置１１が口座番号等の情報を自動取引装置ネットワーク１２を介して、ホストコンピュータ１３に送信するまでの動作については、前記第１の実施の形態と同様であるので、その説明を省略する。
【００５３】
そして、前記ホストコンピュータ１３は、口座番号等の情報を受信すると、該口座番号等の情報に基づいて、前記顧客が当該金融機関の顧客、すなわち、自行顧客であるか否かを判断し、自行顧客である場合、データベースサーバ１４から前記顧客の顧客データを取得する。
【００５４】
続いて、前記ホストコンピュータ１３は、前記顧客データに基づいて前記顧客が手数料の割引対象であるか否かを判断する。そして、手数料の割引対象である場合には、前記ホストコンピュータ１３は、取引手数料の割引率又は割引額を算出し、算出した割引率又は割引額の情報を自動取引装置１１に送信する。また、手数料の割引対象でない場合には、割引率又は割引額を０として自動取引装置１１に送信する。
【００５５】
続いて、前記自動取引装置１１は、ホストコンピュータ１３から受信した割引率又は割引額の情報に基づいて、各取引に対応する取引手数料、又は、該取引手数料を一義的に決定することができない場合には取引手数料の範囲を算出する。そして、前記自動取引装置１１は、図４に示されるような取引選択画面を顧客操作部に表示させる。前記取引選択画面には、各取引に対応する取引手数料、又は、該取引手数料を一義的に決定することができない場合には取引手数料の範囲が表示される。なお、以降の動作については、前記第１の実施の形態と同様であるので、その説明を省略する。
【００５６】
次に、フローチャートについて説明する。
ステップＳ２１  自動取引装置１１は取引選択画面を表示する。
ステップＳ２２  顧客はカードを自動取引装置１１に挿入する。
ステップＳ２３  自動取引装置１１はホストコンピュータ１３に口座番号等の情報を送信する。
ステップＳ２４  ホストコンピュータ１３は口座番号等の情報に基づいて自行顧客であるか否かを判断し、自行顧客である場合はデータベースサーバ１４から顧客データを取得する。
ステップＳ２５  ホストコンピュータ１３は顧客データに基づいて顧客が手数料の割引対象であるか否かを判断する。手数料の割引対象である場合はステップＳ２６に進み、手数料の割引対象でない場合はステップＳ２７に進む。
ステップＳ２６  ホストコンピュータ１３は取引手数料の割引率（又は割引額）を算出する。
ステップＳ２７  ホストコンピュータ１３は算出した割引率（又は割引額）の情報を自動取引装置１１に送信する。なお、手数料の割引対象でない場合は、割引率（又は割引額）０を送信する。
ステップＳ２８  自動取引装置１１はホストコンピュータ１３から受信した割引率（又は割引額）の情報に基づいて、各取引に対応する取引手数料（又はその範囲）を算出する。
ステップＳ２９  取引選択画面に各取引に対応する取引手数料（又はその範囲）を表示する。
ステップＳ３０  顧客は金融取引を選択する。
ステップＳ３１  自動取引装置１１は振り込み先の銀行選択画面、及び、振り込み先の支店選択画面を表示する。なお、画面中には振り込みに対応する取引手数料又はその範囲を表示する。
ステップＳ３２  顧客は金融機関、支店を選択する。
ステップＳ３３  自動取引装置１１は顧客が入力した情報に基づいて取引手数料の範囲を絞り込む。
ステップＳ３４  自動取引装置１１は振り込み先の口座番号入力画面を表示する。なお、画面中には振り込みに対応する取引手数料又はその範囲を表示する。
【００５７】
このように、本実施の形態においては、ホストコンピュータ１３から自動取引装置１１に送信される手数料データが割引率又は割引額だけであるので、ホストコンピュータ１３と自動取引装置１１との間の通信量を削減することができる。
【００５８】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００５９】
図１０は本発明の第３の実施の形態における自動取引装置の手数料表示システムの動作を示すフローチャートである。
【００６０】
本実施の形態における自動取引装置の手数料表示システム１０は前記第１の実施の形態と同様の構成を有するので、構成については説明を省略し、動作について説明する。
【００６１】
まず、前記顧客が金融機関の営業店等に配設された自動取引装置１１の操作を開始する場合、該自動取引装置１１の顧客操作部に初期画面として取引選択画面が表示される。この場合、出金、入金、振り込み、残高照会等の各種金融取引を選択するための選択手段として、「引き出し」、「預け入れ」、「振り込み」及び「残高照会」の選択ボタンが表示される。
【００６２】
続いて、前記顧客は、前記取引選択画面に表示された「引き出し」、「預け入れ」、「振り込み」及び「残高照会」の選択ボタンの中のいずれかにタッチして、金融取引を選択する。ここでは、金融取引として振り込みを選択したものとして説明する。そして、前記顧客によって振り込みが選択されると、前記自動取引装置１１の顧客操作部にカードの挿入を促すカード挿入画面が表示される。
【００６３】
そして、前記顧客が自己の所有するカードを自動取引装置１１のカードスロットに挿入すると、自動取引装置１１のカード処理部は、前記カードの磁気ストライプやＩＣに格納された口座番号等の情報を読み取る。続いて、前記自動取引装置１１は、前記口座番号等の情報を自動取引装置ネットワーク１２を介して、ホストコンピュータ１３に送信する。なお、該ホストコンピュータ１３の動作については、前記第１の実施の形態と同様であるので、その説明を省略する。
【００６４】
続いて、前記自動取引装置１１は、ホストコンピュータ１３から手数料データを受信すると、振り込み先の金融機関を選択するために、図５に示されるような振り込み先の銀行選択画面を顧客操作部に表示させる。前記銀行選択画面には、ホストコンピュータ１３から受信した手数料データに基づいて、振り込みに対応する取引手数料、又は、該取引手数料を一義的に決定することができない場合には取引手数料の範囲が表示される。なお、以降の動作については、前記第１の実施の形態と同様であるので、その説明を省略する。
【００６５】
次に、フローチャートについて説明する。
ステップＳ４１  自動取引装置１１は取引選択画面を表示する。
ステップＳ４２  顧客は金融取引を選択する。
ステップＳ４３  自動取引装置１１はカードの挿入画面を表示する。
ステップＳ４４  顧客はカードを自動取引装置１１に挿入する。
ステップＳ４５  自動取引装置１１はホストコンピュータ１３に口座番号等の情報を送信する。
ステップＳ４６  ホストコンピュータ１３は取引日時等の情報に基づいてデータベースサーバ１４から手数料データを取得する。
ステップＳ４７  ホストコンピュータ１３は口座番号等の情報に基づいて自行顧客であるか否かを判断し、自行顧客である場合はデータベースサーバ１４から顧客データを取得する。
ステップＳ４８  ホストコンピュータ１３は顧客データに基づいて顧客が手数料の割引対象であるか否かを判断する。手数料の割引対象である場合はステップＳ４９に進み、手数料の割引対象でない場合はステップＳ５０に進む。
ステップＳ４９  ホストコンピュータ１３は取引手数料の割引率（又は割引額）を算出し、取得した手数料データを割引後の値で更新する。
ステップＳ５０  ホストコンピュータ１３は手数料データを自動取引装置１１に送信する。
ステップＳ５１  自動取引装置１１はホストコンピュータ１３から受信した手数料データに基づいて振り込み先の銀行選択画面、及び、振り込み先の支店選択画面を表示する。なお、画面中には振り込みに対応する取引手数料又はその範囲を表示する。
ステップＳ５２  顧客は金融機関、支店を選択する。
ステップＳ５３  自動取引装置１１は顧客が入力した情報に基づいて取引手数料の範囲を絞り込む。
ステップＳ５４  自動取引装置１１は振り込み先の口座番号入力画面を表示する。なお、画面中には振り込みに対応する取引手数料又はその範囲を表示する。
【００６６】
このように、本実施の形態において、顧客は金融取引を選択してから、カードを自動取引装置１１のカードスロットに挿入するようになっている。
【００６７】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００６８】
図１１は本発明の第４の実施の形態における自動取引装置の手数料表示システムの動作を示すフローチャートである。
【００６９】
本実施の形態における自動取引装置の手数料表示システム１０は前記第２の実施の形態と同様の構成を有するので、構成については説明を省略し、動作について説明する。
【００７０】
まず、前記顧客が金融機関の営業店等に配設された自動取引装置１１の操作を開始する場合、該自動取引装置１１の顧客操作部に初期画面として取引選択画面が表示される。この場合、出金、入金、振り込み、残高照会等の各種金融取引を選択するための選択手段として、「引き出し」、「預け入れ」、「振り込み」及び「残高照会」の選択ボタンが表示される。
【００７１】
続いて、前記顧客は、前記取引選択画面に表示された「引き出し」、「預け入れ」、「振り込み」及び「残高照会」の選択ボタンの中のいずれかにタッチして、金融取引を選択する。ここでは、金融取引として振り込みを選択したものとして説明する。そして、前記顧客によって振り込みが選択されると、前記自動取引装置１１は、図４に示されるような取引選択画面を顧客操作部に表示させる。前記取引選択画面には、各取引に対応する取引手数料、又は、該取引手数料を一義的に決定することができない場合には取引手数料の範囲が表示される。
【００７２】
そして、前記顧客が自己の所有するカードを自動取引装置１１のカードスロットに挿入すると、自動取引装置１１のカード処理部は、前記カードの磁気ストライプやＩＣに格納された口座番号等の情報を読み取る。続いて、前記自動取引装置１１は、前記口座番号等の情報を自動取引装置ネットワーク１２を介して、ホストコンピュータ１３に送信する。なお、該ホストコンピュータ１３の動作については、前記第２の実施の形態と同様であるので、その説明を省略する。
【００７３】
続いて、前記自動取引装置１１は、ホストコンピュータ１３から割引率又は割引額の情報を受信すると、該割引率又は割引額の情報に基づいて、振り込みに対応する取引手数料、又は、該取引手数料を一義的に決定することができない場合には取引手数料の範囲を算出する。そして、前記自動取引装置１１は、振り込み先の金融機関を選択するために、図５に示されるような振り込み先の銀行選択画面を顧客操作部に表示させる。なお、以降の動作については、前記第２の実施の形態と同様であるので、その説明を省略する。
【００７４】
次に、フローチャートについて説明する。
ステップＳ６１  自動取引装置１１は取引選択画面を表示する。
ステップＳ６２  顧客は金融取引を選択する。
ステップＳ６３  取引選択画面に各取引に対応する取引手数料（又はその範囲）を表示する。
ステップＳ６４  顧客はカードを自動取引装置１１に挿入する。
ステップＳ６５  自動取引装置１１はホストコンピュータ１３に口座番号等の情報を送信する。
ステップＳ６６  ホストコンピュータ１３は口座番号等の情報に基づいて自行顧客であるか否かを判断し、自行顧客である場合はデータベースサーバ１４から顧客データを取得する。
ステップＳ６７  ホストコンピュータ１３は顧客データに基づいて顧客が手数料の割引対象であるか否かを判断する。手数料の割引対象である場合はステップＳ６８に進み、手数料の割引対象でない場合はステップＳ６９に進む。
ステップＳ６８  ホストコンピュータ１３は顧客データに基づいて取引手数料の割引率（又は割引額）を算出する。
ステップＳ６９  ホストコンピュータ１３は算出した割引率（又は割引額）の情報を自動取引装置１１に送信する。なお、手数料の割引対象でない場合は、割引率（又は割引額）０を送信する。
ステップＳ７０  自動取引装置１１はホストコンピュータ１３から受信した割引率（又は割引額）の情報に基づいて、振り込みに対応する取引手数料（又はその範囲）を算出する。
ステップＳ７１  自動取引装置１１は振り込み先の銀行選択画面、及び、振り込み先の支店選択画面を表示する。なお、画面中には振り込みに対応する取引手数料又はその範囲を表示する。
ステップＳ７２  顧客は金融機関、支店を選択する。
ステップＳ７３  自動取引装置１１は顧客が入力した情報に基づいて取引手数料の範囲を絞り込む。
ステップＳ７４  自動取引装置１１は振り込み先の口座番号入力画面を表示する。なお、画面中には振り込みに対応する取引手数料又はその範囲を表示する。
【００７５】
このように、本実施の形態においては、顧客は金融取引を選択してから、カードを自動取引装置１１のカードスロットに挿入するようになっている。
【００７６】
次に、本発明の第５の実施の形態について説明する。なお、第１〜第４の実施の形態と同じ構造を有するものについては、同じ符号を付与することによってその説明を省略する。また、前記第１〜第４の実施の形態と同じ動作及び同じ効果についても、その説明を省略する。
【００７７】
図１２は本発明の第５の実施の形態における自動取引装置の手数料表示システムの動作を示すフローチャートである。
【００７８】
本実施の形態における自動取引装置の手数料表示システム１０は、前記第１の実施の形態と同様の構成を有するので、構成については説明を省略し、動作について説明する。本実施の形態において、自動取引装置１１は、一定時間間隔で定期的に、ホストコンピュータ１３からの通知を受信したとき、取引手数料が切り替わる時刻等のように事前に登録しておいた時刻になったとき等のように、所定のタイミングにおいて、手数料データを前記ホストコンピュータ１３から取得するようになっている。例えば、振り込みの場合、月曜日から金曜日までは、８：００、９：００、１７：００、２０：００及び０：００が前記所定のタイミングに該当する。なお、２０：００〜２４：００と０：００〜８：００とでは手数料に違いがないので、０：００を前記所定のタイミングから除外することもできる。
【００７９】
まず、該所定のタイミングにおいて、自動取引装置１１は、手数料データを要求する信号を自動取引装置ネットワーク１２を介して、ホストコンピュータ１３に送信する。すると、該ホストコンピュータ１３は、取引日時、曜日等の情報に基づいて、データベースサーバ１４から手数料データを取得する。そして、前記ホストコンピュータ１３は、取得した手数料データを自動取引装置１１に送信する。
【００８０】
続いて、該自動取引装置１１は、ホストコンピュータ１３から受信した手数料データに基づいて、図４に示されるような取引選択画面を顧客操作部に表示させ、処理を終了する。前記取引選択画面には、各取引に対応する取引手数料、又は、該取引手数料を一義的に決定することができない場合には取引手数料の範囲が表示される。
【００８１】
次に、フローチャートについて説明する。
ステップＳ８１  自動取引装置１１はホストコンピュータ１３に対して手数料データを要求する。
ステップＳ８２  ホストコンピュータ１３は取引日時、曜日等の情報に基づいてデータベースサーバ１４から手数料データを取得する。
ステップＳ８３  ホストコンピュータ１３は取得した手数料データを自動取引装置１１に送信する。
ステップＳ８４  自動取引装置１１はホストコンピュータ１３から受信した手数料データに基づいて取引選択画面に各取引に対応する取引手数料又はその範囲を表示し、処理を終了する。
【００８２】
なお、このような処理が行われるタイミングは、一定時間間隔で定期的に、ホストコンピュータ１３からの通知、事前に登録しておいた時間（取引手数料が切り替わる時刻等）などの場合が考えられる。
【００８３】
このように、本実施の形態における自動取引装置１１は、所定のタイミングにおいて手数料データを前記ホストコンピュータ１３から取得し、顧客操作部に表示させるようになっている。
【００８４】
次に、本発明の第６の実施の形態について説明する。なお、第１〜第５の実施の形態と同じ構造を有するものについては、同じ符号を付与することによってその説明を省略する。また、前記第１〜第５の実施の形態と同じ動作及び同じ効果についても、その説明を省略する。
【００８５】
図１３は本発明の第６の実施の形態における自動取引装置の手数料表示システムの動作を示すフローチャートである。
【００８６】
本実施の形態における自動取引装置の手数料表示システム１０は、前記第２の実施の形態と同様の構成を有するので、構成については説明を省略し、動作について説明する。本実施の形態において、自動取引装置１１は、一定時間間隔で定期的に、ホストコンピュータ１３からの通知を受信したとき、手数料が切り替わる時刻等のように事前に登録しておいた時刻になったとき等のように、所定のタイミングにおいて、手数料データを内蔵する手数料データデータベース１５から取得するようになっている。例えば、振り込みの場合、月曜日から金曜日までは、８：００、９：００、１７：００、２０：００及び０：００が前記所定のタイミングに該当する。なお、２０：００〜２４：００と０：００〜８：００とでは手数料に違いがないので、０：００を前記所定のタイミングから除外することもできる。
【００８７】
まず、該所定のタイミングにおいて、自動取引装置１１は、取引日時、曜日等の情報に基づいて、手数料データデータベース１５から手数料データを取得する。そして、前記自動取引装置１１は、図４に示されるような取引選択画面を顧客操作部に表示させ、処理を終了する。前記取引選択画面には、各取引に対応する取引手数料、又は、該取引手数料を一義的に決定することができない場合には取引手数料の範囲が表示される。
【００８８】
次に、フローチャートについて説明する。
ステップＳ９１  自動取引装置１１は取引日時、曜日等の情報に基づいて手数料データデータベース１５から手数料データを取得する。
ステップＳ９２  自動取引装置１１は手数料データデータベース１５から取得した手数料データに基づいて取引選択画面に各取引に対応する取引手数料又はその範囲を表示し、処理を終了する。
【００８９】
このように、本実施の形態における自動取引装置１１は、所定のタイミングにおいて手数料データを前記手数料データデータベース１５から取得し、顧客操作部に表示させるようになっている。
【００９０】
なお、前記第２及び第４の実施の形態においては、ホストコンピュータ１３から自動取引装置１１に送信される情報が割引率又は割引額であるとして説明したが、割引額を算出するための別の情報、例えば、割引ランク等を送信することもできる。この場合、割引ランクに対応する割引方法を別途記憶手段に格納しておく。該割引方法は、例えば、割引率、割引額、手数料の計算方法等である。
【００９１】
また、本発明は前記実施の形態に限定されるものではなく、本発明の趣旨に基づいて種々変形させることが可能であり、それらを本発明の範囲から排除するものではない。
【図面の簡単な説明】
【００９２】
【図１】本発明の第１の実施の形態における自動取引装置の手数料表示システムの構成を示す図である。
【図２】本発明の第１の実施の形態における取引手数料算出用の手数料データの例を示す図である。
【図３】本発明の第１の実施の形態における顧客データの例を示す図である。
【図４】本発明の第１の実施の形態における自動取引装置の顧客操作部に表示される取引選択画面の例を示す図である。
【図５】本発明の第１の実施の形態における自動取引装置の顧客操作部に表示される取引中の画面の例を示す第１の図である。
【図６】本発明の第１の実施の形態における自動取引装置の顧客操作部に表示される取引中の画面の例を示す第２の図である。
【図７】本発明の第１の実施の形態における自動取引装置の手数料表示システムの動作を示すフローチャートである。
【図８】本発明の第２の実施の形態における自動取引装置の手数料表示システムの構成を示す図である。
【図９】本発明の第２の実施の形態における自動取引装置の手数料表示システムの動作を示すフローチャートである。
【図１０】本発明の第３の実施の形態における自動取引装置の手数料表示システムの動作を示すフローチャートである。
【図１１】本発明の第４の実施の形態における自動取引装置の手数料表示システムの動作を示すフローチャートである。
【図１２】本発明の第５の実施の形態における自動取引装置の手数料表示システムの動作を示すフローチャートである。
【図１３】本発明の第６の実施の形態における自動取引装置の手数料表示システムの動作を示すフローチャートである。
【符号の説明】
【００９３】
１０    自動取引装置の手数料表示システム
１１    自動取引装置
１３    ホストコンピュータ
１５    手数料データデータベース
１６    顧客データデータベース
【図１】
0004747499.tif 000002
【図２】
0004747499.tif 000003
【図３】
0004747499.tif 000004
【図４】
0004747499.tif 000005
【図５】
0004747499.tif 000006
【図６】
0004747499.tif 000007
【図７】
0004747499.tif 000008
【図８】
0004747499.tif 000009
【図９】
0004747499.tif 000010
【図１０】
0004747499.tif 000011
【図１１】
0004747499.tif 000012
【図１２】
0004747499.tif 000013
【図１３】
0004747499.tif 000014